(57)【要約】【課題】弾力性に富み、装着時における違和感がなく、芯材製造時に適宜変形させたり、形状復元したりすることが容易な簡易着脱タイプのネクタイを提供することを課題とする。【解決手段】大剣部１と、大剣部１の上端に定着される結び目２と、両端部が結び目２にスライド可能に挿通されて着用時に首に回されるループ材３とから成る。結び目２は、結び目形状に形作られるフェルト、不織布、厚紙その他の手作業による変形加工が容易な可撓性資材製の芯材４に布地５を被装して形成される。芯材４は、正面形成部４ａと折り返し部４ｂと裏面形成部４ｃと舌片４ｄとを連設し、正面形成部４ａ及び裏面形成部４ｃのそれぞれの両側に、組み立て時において重なり合う翼片４ｅ〜４ｈを延設した原材を組み立てて形成される。【選択図】図５
2015155581.tif 000002
【特許請求の範囲】
【請求項１】
大剣部と、前記大剣部の上端に一体に縫着される結び目と、両端部が前記結び目にスライド可能に挿通されて着用時に首に回されるループ材とから成り、
前記結び目は、結び目形状に形作られるフェルト、不織布、厚紙その他の手作業による変形加工が容易な可撓性資材製の芯材に布地を被装して形成され、
前記ループ材は、前記結び目内において１本化されて前記大剣部内に通され、下部が前記大剣部の裏側に引き出され、その端部を引き下げることにより前記ループ材によって形成されるループの径を縮めることができ、また、前記ループを引き上げることにより当該ループの径を広げることができることを特徴とする簡易着脱タイプのネクタイ。
【請求項２】
前記芯材は、１枚の前記資材を型抜きした又は切り抜いた原材を組み立てて形成される、請求項１に記載の簡易着脱タイプのネクタイ。
【請求項３】
前記原材は、正面形成部と折り返し部と裏面形成部と舌片とを連設し、前記正面形成部及び裏面形成部のそれぞれの両側に、組み立て時において重なり合う翼片を延設したものである、請求項２に記載の簡易着脱タイプのネクタイ。
【請求項４】
前記結び目内においてループ材を一本化するためのスライダーに係止突部を有する固定金具が取り付けられ、前記裏面形成部及びその両側の前記翼片に、前記固定金具の係止突部を係入するための係止孔が穿設される、請求項３に記載の簡易着脱タイプのネクタイ。
【請求項５】
前記正面形成部の上部に切り込みを入れて、組み立て時において前記舌片上に重なる支持片が形成される、請求項３又は４に記載の簡易着脱タイプのネクタイ。
【請求項６】
前記結び目を形成する布地は襞を有するものであり、前記芯材に被装する際に前記襞が横向きとなるように、又は縦向きとなるようにされる、請求項２又は３に記載の簡易着脱タイプのネクタイ。
【発明の詳細な説明】
【技術分野】
【０００１】
本発明は、簡易着脱タイプのネクタイ、より詳細には、着脱が容易で装着感が良く、ファッション性に富んだ簡易着脱タイプのネクタイに関するものである。
【背景技術】
【０００２】
ネクタイは、着用する度に結び目を見た目よく形作ることになるが、それには手間がかかるので、予め結び目を固定的なものとして形作って、装脱を容易にしたネクタイも利用されている。その場合の装着方法としては、結び目に取り付けられたネックバンドを首に回す方法（特開２００２−１３８３１４号公報、実開昭６２−４１０１９号公報、実用新案登録第３０２３８０１号公報、実用新案登録第３０２９３１４号公報等）や、ネックバンドを省略して、結び目にワイシャツの襟元に固定するためのクリップを設置する方法等がある。
【０００３】
これらの簡易着脱タイプのネクタイは、あくまで、時間的余裕のない出勤前等において、あるいは、学生等が簡易迅速に装着できるようにしたものであって、デザイン上格別の工夫が施されている訳ではないので、外観上は通常のネクタイと特に変わりがない。
【０００４】
また、従来の簡易着脱タイプのネクタイにおいては、結び目に保形力を持たせるために硬質プラスチック製の芯材が用いられているが、硬質プラスチック製芯材の場合は、硬いだけでなく、種々の形状の結び目を作ろうとする場合はその分の芯材用金型が必要となるので、コスト的に制約が加わり、更に、芯材の形状が決まってしまうため、使用者が好みに合わせて変形することができず、また、逆に、何らかの理由で変形してしまった結び目を元の形状に戻すこともできない。
【先行技術文献】
【特許文献】
【０００５】
【特許文献１】特開２００２−１３８３１４号公報
【特許文献２】実開昭６２−４１０１９号公報
【特許文献３】実用新案登録第３０２３８０１号公報
【特許文献４】実用新案登録第３０２９３１４号公報
【発明の概要】
【発明が解決しようとする課題】
【０００６】
上述したように、従来の簡易着脱タイプのネクタイの場合はファッション性に欠け、また、結び目の芯材としてプラスチック製のものが用いられているために、弾力性に欠けて使用時に違和感を感じるだけでなく、所望の形状に仕上げたり、必要に応じて変形したり、あるいは、形状復元したりすることができないという問題があった。
【０００７】
そこで本発明は、結び目に比較的柔らかなフェルト、不織布、厚紙等の手加工が容易な可撓性資材製の芯材を用いることにより、弾力性に富み、装着時における違和感がなく、芯材製造時にある程度の変形が可能であるため、種々の形態の結び目を低コストにて用意することができ、また、必要に応じて変形したり、あるいは、形状復元したりすることが容易な簡易着脱タイプのネクタイを提供することを課題とする。
【課題を解決するための手段】
【０００８】
上記課題を解決するための請求項１に係る発明は、大剣部と、前記大剣部の上端に一体に縫着される結び目と、両端部が前記結び目にスライド可能に挿通されて着用時に首に回されるループ材とから成り、前記結び目は、結び目形状に形作られるフェルト、不織布、厚紙その他の手作業による変形加工が容易な可撓性資材製の芯材に布地を被装して形成され、前記ループ材は、前記結び目内において１本化されて前記大剣部内に通され、下部が前記大剣部の裏側に引き出され、その端部を引き下げることにより前記ループ材によって形成されるループの径を縮めることができ、また、前記ループを引き上げることにより当該ループの径を広げることができることを特徴とする簡易着脱タイプのネクタイである。
【０００９】
一実施形態においては、前記芯材は、１枚の前記資材を型抜きした又は切り抜いた原材を組み立てて形成され、前記原材は、正面形成部と折り返し部と裏面形成部と舌片とを連設し、前記正面形成部及び裏面形成部のそれぞれの両側に、組み立て時において重なり合う翼片を延設したものとされる。また、前記結び目内においてループ材を一本化するためのスライダーに係止突部を有する固定金具が取り付けられ、前記裏面形成部及びその両側の前記翼片に、前記固定金具の係止突部を係入するための係止孔が穿設され、更に、前記正面形成部の上部に横方向に切り込みを入れて、組み立て時において前記舌片上に重なる支持片が形成される。
【００１０】
また、一実施形態においては、前記結び目を形成する布地は襞を有するものとされ、前記芯材に被装する際に前記襞が横向きに表われるように、又は、縦向きに表われるようにされる。
【発明の効果】
【００１１】
本発明に係るネクタイは上記構成であって、結び目の芯材として比較的柔らかなフェルト、不織布、厚紙等の手加工が容易な素材を用いるため、結び目は弾力性に富んで違和感なく装着することができ、芯材組立時にある程度の形状選択が可能であるため、種々の形態の結び目を低コストにて用意することができ、また、必要に応じ、正面側から押圧する等によってより扁平にしたり、両側から押し込むことによってより丸みを持つように変形したりすることができ、あるいは、何らかの関係で変形した場合においても形状復元が容易で、従来にないファッション性のあるデザインの簡易着脱タイプのネクタイが得られる効果がある。
【図面の簡単な説明】
【００１２】
【図１】本発明に係る簡易着脱タイプのネクタイの一実施形態の正面図である。
【図２】本発明に係る簡易着脱タイプのネクタイの一実施形態の背面図である。
【図３】本発明に係る簡易着脱タイプのネクタイの一実施形態の分解図である。
【図４】本発明に係る簡易着脱タイプのネクタイにおける芯材形成用原材の展開図である。
【図５】本発明に係る簡易着脱タイプのネクタイにおける芯材形成の第１過程を示す斜視図である。
【図６】本発明に係る簡易着脱タイプのネクタイにおける芯材形成の第２過程を示す表面図である。
【図７】本発明に係る簡易着脱タイプのネクタイにおける芯材形成の第２過程を示す裏面図である。
【図８】本発明に係る簡易着脱タイプのネクタイにおける芯材形成の第３過程を示す表面図である。
【図９】本発明に係る簡易着脱タイプのネクタイにおける芯材形成の第３過程を示す裏面図である。
【図１０】本発明に係る簡易着脱タイプのネクタイにおける芯材被覆用布地の例を示す図である。
【図１１】本発明に係る簡易着脱タイプのネクタイの他の実施形態の正面図である。
【発明を実施するための形態】
【００１３】
本発明を実施するための形態につき、添付図面に依拠して説明する。図１は、本発明に係るネクタイの正面図、図２はその裏面図、図３はその分解図であり、そこに示されているように、該ネクタイは、一般のネクタイと同様の形状の大剣部１と、大剣部１の上端に配置される逆三角形状の結び目２と、装着時に首に回されるループ材３とで構成され、一般のネクタイに存する小剣部に相当する部分は存在しない。
【００１４】
大剣部１の裏面の中程には、後述するようにして１本化されるループ材３の端部である操作部３ａを引き出すための開口７が形成される。開口７の周縁は、ほつれることがないように、ボタン穴のようにかがることが好ましい。結び目２は、一般的な結び目形状、即ち、正面視逆三角形状を呈していて、角部に丸みを有する立体形状に形作られる芯材４に、布地５を被装して形成される。
【００１５】
芯材４は、１枚のフェルト、不織布又は厚紙等の手作業による変形加工が容易な可撓性素材を打ち抜いて、正面形成部４ａと折り返し部４ｂと裏面形成部４ｃと舌片４ｄとを連設した原材を組み立てて形成される（図４〜図９参照）。正面形成部４ａの両側には、組み立て時において重なり合う翼片４ｅ、４ｆが延設され、裏面形成部４ｃの両側にも、組み立て時において重なり合う翼片４ｇ、４ｈが延設される。そして、裏面形成部４ｃ及びその両側の翼片４ｇ、４ｈには、後述する固定金具９を係止するための係止孔４ｉ、４ｊ、４ｋが穿設される。係止孔４ｉは上下一対設けられる。また、必要に応じ、翼片４ｅ、４ｆの上部に横方向に切り込みを入れることにより、支持片４ｍ、４ｎが形成される。
【００１６】
ループ材３は１本の紐材で構成され、各端部がそれぞれ結び目２内に引き込まれ、結び目２内において１本化されて大剣部１内に通され、端部の操作部３ａが、大剣部１の裏側に形成されている開口７から引き出される。好ましくは、操作部３ａの全体が開口７内に引き込まれないようにするために、その下端部を肥大化したり、ストッパー３ｂを配設したりする。
【００１７】
ループ材３は、その一方の側と他方の側に、互いに噛合し合うファスナー８ａ、８ｂを備え、ファスナー８ａ、８ｂを噛合させて１本化するスライダー８に固定金具９が取り付けられる。固定金具９はスライダー８の表裏に渡るように取り付けられ、表側に係止突部９ａが形成されると共に、裏側に係止突部９ｂが形成され、組み立て時において係止突部９ａが上記係止孔４ｊ、４ｋに係入され、係止突部９ｂが係止孔４ｉに挿入される（図５、６参照）。係止突部９ｂは係止孔４ｉに対応して一対形成され、好ましくは、係止孔４ｉに挿通して裏面側に露出させた後、抜け止めのために、係入突部９ｂ同士を針金１０等で連結することとする（図７参照）。
【００１８】
以下に、上記平坦なフェルト又は厚紙等の原材から、丸みを帯びた逆三角形の立体形状である芯材４を形作る方法について説明する。ループ材３は、この芯材４形成に伴って、芯材４に一体に取り付けられることになる。
【００１９】
芯材４の形成に当たっては、先ず、各翼片４ｅ〜４ｈを内方に湾曲させて湾曲癖を付け、また、折り返し部４ｂを湾曲させて湾曲癖を付ける。そして、裏面形成部４ｃをスライダー８の後ろ側にあてがい、係止突部９ｂを係止孔４ｉに挿通して裏面側に露出させた後、必要に応じ、針金１０等ｂによる抜け止め措置を講ずる（図５、７参照）。次いで、翼片４ｇ、４ｈを順に湾曲させてスライダー８上に重ね、係止突部９ａを係止孔４ｊ、４ｋに順に挿入することで翼片４ｇ、４ｈを止め着け、その湾曲状態を保持する（図５、６参照）。その際、必要に応じ、翼片４ｇ、４ｈをテープ止めする。なお、片４ｇ、４ｈのいずれが上になっても差し支えない。
【００２０】
続いて、折り返し部４ｂを湾曲させて正面形成部４ａを、ループ材３のループ内を通して翼片４ｇ、４ｈ上に重ね、翼片４ｅ、４ｆを背後に回して裏面形成部４ｃに接着等により固定する（図８、９参照）。また、支持片４ｍ、４ｎを設けたときは、それらも背後に回して舌片４ｄに接着等により固定する。大剣部１は舌片４ｄ部分をくるむように縫着されるため、このように支持片４ｍ、４ｎを舌片４ｄに固定することにより、結び目２自体の保形力が増すだけでなく、結び目２から大剣部１にかけての部分の形態の安定性が増す。
【００２１】
なお、芯材４の組み立てに際し、正面形成部４ａの中央部を摘み上げ、必要に応じてステイプラー止めして補強リブ１１を形成することもある。この補強リブ１１は、芯材４の保形力を増大させるだけでなく、結び目２の立体感を醸し出して外観を良好に保持する作用をも果たす。
【００２２】
芯材４は、このようにしてループ材３と一体となって組み立てられるが、芯材４は、フェルト、不織布、厚紙等の手作業で変形加工することが容易な可撓性素材製であるため、着用時において硬質プラスチックの場合におけるような違和感がなく、また、加圧されて変形しても、簡単に元の形状に復元可能である。逆に、好みに応じ、加圧したりして故意に変形することも可能である。このようにしてループ材３と一体に形成された段階において、芯材４を押さえてループ材３のループ部分を引き上げることによりループの径を大きくすることができ、また、芯材４を押さえて操作部３ａを引き下げることにより、ループの径を小さくすることが可能となる。
【００２３】
このようにして形成した芯材４をくるむようにして、大剣部１の上部が縫い付けられ、その上に布地５が被装されて結び目２が完成する。布地５は、例えば、お結び形状に裁断され（図３参照）、大剣部１の上部によって被覆された芯材４の全体を包み込み、背面側において縫着される（図２参照）。布地５は必ずしも大剣部１と同じ柄である必要はなく、任意の柄のものとすることができる。
【００２４】
また、一般のネクタイには見られない、襞付きのものとすることができる。例えば、図１０に示すように、布に襞５ａを設け、その根元を縫い付けて襞５ａを寝かせる。このように加工した襞付き布地５を、襞が横向きになるようにし（図１、２参照）、あるいは、縦向き（図１１参照）になるように配して芯材４に被装することで、従来にないお洒落な感じのネクタイとすることができる。
【００２５】
このようにして形成される結び目２は、従来製品の結び目におけるような硬質のプラスチック製ではなく、比較的柔らかなフェルト、不織布、厚紙等の手加工が容易な可撓性の資材製芯材４が用いられているため、弾力性に富み、装着時における違和感がなく、必要に応じ、正面側から押圧することによってより扁平に、あるいは、両側から押し込むことによってより丸みを持つように変形したりすることができる。
【００２６】
上記構成のネクタイの場合は、着用に際し、結び目２を押さえてループ材３を上方に引くことによってループ材３のループを拡げ、首を通してループ材３をシャツの後襟内に隠し、一方の手で大剣部１の裏面の開口７から出ているループ材３の操作部３ａを引きつつ、他方の手で結び目２を持ち上げて襟元に位置させる。このように結び目２を押さえつつループ材３の操作部３ａを引くと、スライダー８によってファスナー８ａ、８ｂが一本化されつつ、ループ径が縮まって、首部が締まる。
【００２７】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２８】
１      大剣部
２      結び目
３      ループ材
３ａ    操作部
４      芯材
４ａ    正面形成部
４ｂ    折り返し部
４ｃ    裏面形成部
４ｄ    舌片
４ｅ〜４ｈ  翼片
４ｉ〜４ｋ  係止孔
４ｍ、４ｎ  支持片
５      布地
６      挿通路
７      開口
８      スライダー
９      固定金具
９ａ、９ｂ  係止突部
１０    針金
１１    補強リブ
【図１】
2015155581.tif 000003
【図２】
2015155581.tif 000004
【図３】
2015155581.tif 000005
【図４】
2015155581.tif 000006
【図５】
2015155581.tif 000007
【図６】
2015155581.tif 000008
【図７】
2015155581.tif 000009
【図８】
2015155581.tif 000010
【図９】
2015155581.tif 000011
【図１０】
2015155581.tif 000012
【図１１】
2015155581.tif 000013